(57)【要約】【課題】搬送台車を受け渡すためのレール同士を、簡単に連結し得る運搬台車における連結用治具を提供する。【解決手段】運搬台車１側の保持用レール９に吊持された搬送台車８を、リフト装置１１の保持用レール１６に受け渡す際に、これら運搬台車１とリフト装置１１とを連結するための連結用治具２１であって、運搬台車１側の支持材７に係脱自在な係合部材２２と、この係合部材２２に連結されたねじ棒材２３と、基端側がねじ棒材２３にその軸心方向で移動自在に外嵌されるとともに先端側にリフト装置１１の保持用レール１６に設けられた溝部１６ｃに係脱自在な突状部が設けられた係合片２４と、ねじ棒材２３のねじ部２３ａに回転自在に螺嵌されて、係合片２４を、ねじ棒材２３の軸心方向で移動させる移動用ハンドル２５とから構成したものである。【選択図】      図１
2005225638.tif 000002
【特許請求の範囲】
【請求項１】
運搬台車側の保持用レールに吊持された搬送台車を、他の運搬台車側の保持用レールに受け渡す際に、両運搬台車同士を連結するための連結用治具であって、
一方の運搬台車のフレーム材に係脱自在な係合部材と、この係合部材に連結されたねじ体と、基端側が上記ねじ体にその軸心方向で移動自在に外嵌されるとともに先端側に他方の運搬台車に設けられた凹状部に係脱自在な突状部が設けられた係合片と、上記ねじ体のねじ部に回転自在に螺嵌されて、上記係合片を、ねじ体の軸心方向で移動させる操作部材とから構成したことを特徴とする運搬台車における連結用治具。
【請求項２】
係合部材を、フレーム材の上面を覆うように配置される上面板部と、この上面板部の一端側にピン連結により一端部が支持されるとともに中央部にフレーム材を下方から案内し得る案内凹部が形成され、且つ他端部に上記上面板部に係脱自在な止め具とから構成したことを特徴とする請求項１に記載の運搬台車における連結用治具。
【請求項３】
搬送台車が天井走行式の台車であり、一方の運搬台車が床面上を移動可能な台車であるとともに、他方の運搬台車が、地上側と天井の走行経路との間で昇降自在にされたリフト装置であることを特徴とする請求項１または２に記載の運搬台車における連結用治具。
【発明の詳細な説明】
【技術分野】
【０００１】
本発明は、運搬台車側に保持された搬送台車を、他の運搬台車側に移載する際に、両運搬台車同士を連結するための連結用治具に関するものである。
【背景技術】
【０００２】
物品を搬送するための搬送設備の中には、天井走行式の搬送台車を用いたものがある。
このような搬送設備の天井には、当然、走行用レールが配置されており、この走行用レールに対して搬送台車を搬入または搬出させる必要があるが、このような作業を行う際には、搬送台車をその搬入出箇所まで運搬するための運搬台車およびこの運搬台車により運搬された搬送台車を保持して地上側と天井側との間で昇降させるリフト装置が用いられている。
【０００３】
このリフト装置には、運搬台車に設けられた搬送台車の保持用レールから搬送台車を受け取るための保持用レールが設けられており、その受け渡し時においては、両台車に設けられている保持用レール同士を連結する必要がある。
【０００４】
従来、この種のリフト装置としては、天井に設けられた走行用レール上を走行自在にされた走行台車から、ワイヤーなどを介して吊りフレームが昇降自在に設けられており、両者間で搬送台車を受け渡す場合には、吊りフレームに設けられた保持用レールと、運搬台車側に設けられた保持用レールとの位置合わせを行った後、両レール同士を多数の連結ピンを用いた連結板部を介して連結した後、両レール同士間で搬送台車を移動させていた（特許文献１参照）。
【特許文献１】特開２００１−２７８５７５号公報（図２参照）
【発明の開示】
【発明が解決しようとする課題】
【０００５】
上記従来の構成によると、リフト装置はワイヤーで吊持されているため、運搬台車側と連結する際に不安定になるとともに、多数の連結ピンを挿入する必要があるため、連結作業に時間を要するという問題があった。さらに、両保持用レール同士が連結板部で連結されるため、運搬台車とリフト装置との間に予期しないずれ力が作用した場合には、両保持用レール同士がずれてしまい、搬送台車の受け渡しをできないおそれがあった。
【０００６】
そこで、本発明は、搬送台車を受け渡すためのレール同士を、簡単に連結し得る運搬台車における連結用治具を提供することを目的とする。
【課題を解決するための手段】
【０００７】
上記課題を解決するため、本発明の請求項１に係る運搬台車における連結用治具は、運搬台車側の保持用レールに吊持された搬送台車を、他の運搬台車側の保持用レールに受け渡す際に、両運搬台車同士を連結するための連結用治具であって、
一方の運搬台車のフレーム材に係脱自在な係合部材と、この係合部材に連結されたねじ体と、基端側が上記ねじ体にその軸心方向で移動自在に外嵌されるとともに先端側に他方の運搬台車に設けられた凹状部に係脱自在な突状部が設けられた係合片と、上記ねじ体のねじ部に回転自在に螺嵌されて、上記係合片を、ねじ体の軸心方向で移動させる操作部材とから構成したものである。
【０００８】
また、請求項２に係る運搬台車における連結用治具は、請求項１に記載の連結用治具における係合部材を、フレーム材の上面を覆うように配置される上面板部と、この上面板部の一端側にピン連結により一端部が支持されるとともに中央部にフレーム材を下方から案内し得る案内凹部が形成され、且つ他端部に上記上面板部に係脱自在な止め具とから構成したものである。
【０００９】
さらに、請求項３に係る運搬台車における連結用治具は、請求項１または２に記載の連結用治具において搬送台車が天井走行式の台車であり、一方の運搬台車が床面上を移動可能な台車であるとともに、他方の運搬台車が、地上側と天井の走行経路との間で昇降自在にされたリフト装置とするものである。
【発明の効果】
【００１０】
上記の構成によると、係合部材を、一方の運搬台車の支持材に係合させるととともに、他端側のねじ体に外嵌された係合片を他方の運搬台車（リフト装置）側の凹状部に係合させた状態で、操作部材により移動させるだけで、両台車同士を強固に固定することができる。すなわち、非常に簡単な構成でありながら、短時間で且つスムースに搬送台車を一方の運搬台車から他方の運搬台車に移し替えることができる。
【発明を実施するための最良の形態】
【００１１】
［実施の形態］
以下、本発明の実施の形態に係る運搬台車における連結用治具を、図１〜図７に基づき説明する。
【００１２】
この連結用治具は、天井走行式の搬送台車をリフト装置を用いて、例えば地上側と天井の走行経路（走行用レール）側との間で搬入または搬出を行う際に、地上側の運搬台車（一方の運搬台車）と昇降自在に設けられたリフト装置（他方の運搬台車）との連結を行うためのものである。
【００１３】
まず、運搬台車およびリフト装置について説明する。
図１〜図３に示すように、運搬台車１は、下面四隅に車輪２が設けられた底板材３と、この底板材３の上面四隅に立設された支柱材４と、左右の両側辺における前後支柱材４，４同士を例えば上下３箇所で連結する側部水平連結材５と、前部および後部の左右支柱材４，４同士を上下２箇所で連結する端部水平連結材６と，上寄りの中間位置に設けられた左右の各側部水平連結材５の前後端部にて内方に突出された支持材（フレーム材の一例）７と、前後の支持材７，７同士間に設けられた左右一対の搬送台車８の保持用レール９とから構成されている。なお、これら保持用レール９には、搬送台車８の走行車輪８ａおよび案内車輪８ｂを案内するための上面の支持面９ａおよび内側面の案内面９ｂが形成されており、また上記支柱材４、連結材５，６、支持材７は、鋼製の角柱パイプにより構成されている。
【００１４】
また、図４に示すように、リフト装置１１も、運搬台車１に良く似た構造にされており、天井側と床面側との間で、その周囲適所に配置された上下方向のガイド部材に案内されて昇降自在に設けられた昇降体１２と、この昇降体１２を昇降させる昇降駆動装置（図示しないが、例えばウインチ装置、シリンダ装置などが用いられる）とから構成されている。
【００１５】
上記昇降体１２は、底板材１３と、この底板材１３の一側部の前後位置で立設された逆Ｌ字形状の支柱体１４と、この支柱体１４の水平支持部１４ａに正面視が逆Ｕ字形状の吊持材１５を介して吊持された左右一対の搬送台車８の保持用レール１６とから構成されている。
【００１６】
そして、この保持用レール１６は、図３に示すように、運搬台車１側に設けられた保持用レール９と同一の構成を有するもので、上面の支持面１６ａと内側面の案内面１６ｂとが形成されており、さらに各保持用レール１６の外側面には、断面矩形状の溝部（凹状部の一例）１６ｃが前後方向で形成されている。
【００１７】
次に、連結用治具について説明する。
図５〜図７に示すように、この連結用治具２１は、運搬台車１の端部で且つ幅方向で設けられた支持材７に係脱自在な係合部材２２と、一端部が上記係合部材２２に連結されたねじ棒材（ねじ体の一例）２３と、このねじ棒材２３の中間部分に一端側の穴部２４ａが外嵌されるとともに他端側に保持用レール１６の溝部１６ｃ内に嵌入し得る突状部２４ｂが形成されてなる係合片２４と、ねじ棒材２３のねじ部２３ａに螺合されるとともにその回転により上記係合片２４を前後方向で移動させる移動用ハンドル（操作部材）２５とから構成されている。
【００１８】
また、上記係合部材２２は、角柱状の支持材７の前面に当接し得る当接面３１ａが形成された係合本体部３１と、この係合本体部３１の上面から外方に突出するように設けられた水平押え板部（上面板部の一例）３２と、上記係合本体部３１の両側に固定された両フランジ部３１ｂ下部に水平方向で設けられた支持ピン３３に鉛直面内で揺動自在に設けられるとともに側面視がＬ字形にされて支持材７を抱きかかえる案内凹部３４ａが形成された係合板部３４と、基端側がこの係合板部３４の先端に取付部用ボルト３５を介して揺動自在に設けられるとともに遊端側が上記水平押え板部３２に形成された切欠部３２ａに挿脱自在にされたボルト材３６と、このボルト材３６の遊端側のおねじ部３６ａに螺合される蝶形ナット材３７とから構成されている。なお、ボルト材３６とナット材３７とにより止め具が構成され、また図７中の３８は支持ピン３３を取り付けるための蝶形ナット材である。
【００１９】
さらに、上記リフト装置１１側に設けられた両保持用レール１６の外面に形成された溝部１６ｃの適所には、上記係合片２４の突状部２４ｂが当該溝部１６ｃに挿入された状態で、外方への移動を規制するための規制部材（ストッパーである）４１が、固定用ねじ材４２により吊持部材１５の下端に固定されている。なお、この規制部材４１は保持用レール１６を吊持材１５に固定するための部材でもある。
【００２０】
上記構成において、運搬台車１側の保持用レール９に保持された搬送台車８を、リフト装置１１を介して天井側の走行経路内に配置（挿入）する場合について説明する。
まず、運搬台車１を、その端部がリフト装置１１の端部に対向するように移動させた後、連結用治具２１の係合部材２２を、運搬台車１側の支持材７に固定する。すなわち、係合板部３４が下方に揺動した状態で、水平押え板部３２が支持材７の上面に接触するとともに係合本体部３１の当接面３１ａが支持材７の前面に接触するようになし、そして下方から係合板部３４を上方に揺動させるとともにボルト材３５をその切欠部３２ａに挿入させてナット材３６により締め付けることにより、連結用治具２１の一端側を支持材７に固定する。
【００２１】
次に、ねじ棒材２３に外嵌された係合片２４の先端の突状部２４ｂをリフト装置１１側の保持用レール１６の外面に形成された溝部１６ｃに係合（嵌入）させた後、移動用ハンドル２５を回転させて係合片２４を溝部１６ｃに設けられた規制部材４１に当接するまで移動させる。勿論、この作業を、左右両側にて行う。
【００２２】
この作業により、運搬台車１とリフト装置１１とが互いに接近されるとともに、両保持用レール９，１６同士が連結用治具２１を介して強固に連結される。
次に、搬送台車８を運搬台車１側からリフト装置１１側に移動させた後、上記連結用治具２１を取り外し、昇降体１２を昇降駆動装置により上昇させて、搬送台車８を天井側の走行経路内に移動させればよい。
【００２３】
上述したように、一端側の係合部材２２を運搬台車１の支持材７に係合させるととともに、他端側のねじ棒材２３に外嵌された係合片２４をリフト装置１１側の溝部１６ｃに係合させた状態で、移動用ハンドル２５を回転させるだけで、両者を強固に固定することができる。すなわち、非常に簡単な構成でありながら、短時間で確実に且つスムースに搬送台車８を運搬台車１からリフト装置１１に移し替えることができる。
【００２４】
ところで、上記実施の形態においては、連結用治具２１の一端側の係合部材２２を運搬台車１側に連結するとともに、他端側の係合片２４をリフト装置１１側に連結するように説明したが、逆に、係合部材２２をリフト装置１１側に連結するとともに、他端側の係合片２４を運搬台車１側に連結することもできる。
【図面の簡単な説明】
【００２５】
【図１】本発明の実施の形態における運搬台車の側面図である。
【図２】同運搬台車の平面図である。
【図３】同運搬台車の正面図である。
【図４】同実施の形態におけるリフト装置の斜視図である。
【図５】同実施の形態における連結部材を示す側面図である。
【図６】図５のＡ−Ａ矢視図である。
【図７】同連結部材の分解斜視図である。
【符号の説明】
【００２６】
１      運搬台車
７      支持材
８      搬送台車
９      保持用レール
１１      リフト装置
１２      昇降体
１４      支柱材
１５      吊持材
１６      保持用レール
１６ｃ    溝部
２１      連結用治具
２２      係合部材
２４      係合片
２４ｂ    突状部
２５      移動用ハンドル
３１      係合本体部
３２      水平押え部材
３４      係合板部
３４ａ    案内凹部
３５      ボルト材
３６      ナット材
【図１】
2005225638.tif 000003
【図２】
2005225638.tif 000004
【図３】
2005225638.tif 000005
【図４】
2005225638.tif 000006
【図５】
2005225638.tif 000007
【図６】
2005225638.tif 000008
【図７】
2005225638.tif 000009